(57)【要約】【課題】鳩目外周縁部分と当接する当該厚紙及び生地に皺が生じて傷むことを防止するとともに、廃棄時の分別を容易とし、製造時における作業コストを低減することができ、製品の種類に応じて綴じ込み用穴の大きさを変更することを可能とした袋状ファイル及び縁部材の提供を課題とする。【解決手段】合成樹脂製の縁部材であって、幅方向中央において長手方向に延設した綴じ込み用穴（１４）を形成した中央薄板部（１０）と、該中央薄板部（１０）を挟んで左右対称として長手方向に延設した増厚部（１１）（１１）と、増厚部（１１）の一方の外側に、長手方向へ増厚部（１１）よりも薄い薄板縁部（１３）を延設したことを特徴とする縁部材を解決手段とする。【選択図】        図１
2004306288.tif 000002
【特許請求の範囲】
【請求項１】
合成樹脂製の縁部材であって、幅方向中央において長手方向に延設した綴じ込み用穴（１４）を形成した中央薄板部（１０）と、
該中央薄板部（１０）を挟んで左右対称として長手方向に延設した増厚部（１１）（１１）と、
増厚部（１１）の一方の外側に、長手方向へ増厚部（１１）よりも薄い薄板縁部（１３）を延設したことを特徴とする縁部材。
【請求項２】
合成樹脂製の縁部材であって、幅方向中央において長手方向に延設した綴じ込み用穴（１４）を形成した中央薄板部（１０）と、
該中央薄板部（１０）を挟んで左右対称として長手方向に延設した増厚部（１１）（１１）と、
増厚部（１１）（１１）の外側として、前記中央薄板部（１０）を基準として左右対称に、長手方向へ延設した、前記増厚部（１１）（１１）よりも薄い薄板縁部（１３）（１３）とからなることを特徴とする縁部材。
【請求項３】
綴じ込み用穴（１４）の直径が、左右対称となる増厚部（１１）（１１）間の距離と等しいことを特徴とする請求項１又は２記載の縁部材。
【請求項４】
中央薄板部（１０）を基準として左右対称に、複数の増厚部（１１）（１１）を形成するとともに、隣設する増厚部（１１）（１１）間に、間隙薄板部（１２）（１２）を形成したことを特徴とする請求項１、２又は３記載の縁部材。
【請求項５】
縁部材（１）の表裏を対称形としたことを特徴とする請求項１、２、３又は４記載の縁部材。
【請求項６】
薄板縁部（１３）の先端を、幅方向断面視二又状の二又部（１３ｂ）として形成したことを特徴とする請求項１、２、３、４又は５記載の縁部材。
【請求項７】
硬質と軟質の異なる二種の合成樹脂材料からなり、薄板縁部（１３）に軟質の合成樹脂材料を用いたことを特徴とする請求項１、２、３、４、５又は６記載の縁部材。
【請求項８】
二枚の対向する側板（２０）相互の両側端部（２３）及び底部（２５）間に襠部（２１）を取付けるとともに、上部には開口部（２４）を形成し、前記側板（２０）における一方の対向する側端部（２３）に沿って、綴じ込み用穴（１４）を長手方向に列設した縁部材（１）を取付けた袋状ファイルにおいて、
請求項１乃至請求項７記載の縁部材（１）を、取付生地（３）を介して側板（２０）の側端部（２３）に取付けたことを特徴とする袋状ファイル。
【請求項９】
二枚の対向する側板（２０）相互の両側端部及び底端部（２５）間に襠部（２１）を取付けるとともに、上部には開口部（２４）を形成し、前記側板（２０）における一方の対向する側端部（２３）に沿って、綴じ込み用穴（１４）を長手方向に列設した縁部材（１）を取付けた袋状ファイルにおいて、
請求項６記載の縁部材（１）、若しくは軟質の合成樹脂材料からなる請求項１乃至請求項５又は軟質の合成樹脂材料からなる請求項７記載の縁部材（１）を、直接側板（２０）の側端部（２３）に取付けたことを特徴とする袋状ファイル。
【発明の詳細な説明】
【０００１】
【発明が属する技術分野】
本発明は、管状等の綴り手段を備えた表紙状のファイルフォルダや綴じ紐等で綴じ込んで使用される袋状ファイルと、該袋状ファイルに使用可能な縁部材等に関するものである。
【０００２】
【従来の技術】
従来においては、例えば、特許文献若しくは非特許文献に開示される先行技術以外のものとして、図１１に開示する袋状ファイル（以下、先行技術１という。）が公知である。
【０００３】
当該先行技術１に係る袋状ファイル９は、二枚の対向する側板９２、９２相互の端部間の両側端部及び底端部に襠部９３を取付けるとともに、上部には開閉手段となるフラップを備えた開口部を形成し、更に、対向する一対の側板９２、９２の夫々の側端部に沿って、管状等の綴り手段を備えた表紙状のファイルフォルダに対する取付手段若しくは袋ファイル相互を紐で束としてまとめる際の結束手段として、厚紙を布地で被覆して、金属製鳩目９０を長手方向に列設して構成した綴じ用縁部材９１、９１を設けたものである。
【０００４】
【発明が解決しようとする課題】
しかしながら、上記先行技術１に係る袋状ファイル９は、その綴じ用縁部材９１が厚紙を布地で被覆して、金属製鳩目９０を長手方向に列設して構成したことから、種々の不都合を生じるものであった。
【０００５】
即ち、上記先行技術１に係る袋状ファイル９は、袋ファイル９相互を紐で束としてまとめる際等には、金属製の鳩目９０に対して、綴じ用縁部材９１が厚紙及び布地からなる軟質なものであることから、長期間の使用により、鳩目９０が綴じ紐等で引張られることで、鳩目９０の外周縁部分と当接する当該厚紙及び生地に皺が生じて傷むことがあり、このような場合には鳩目９０が外れ、元の状態とすることは困難であり、耐久性に問題があった。
【０００６】
また、金属製鳩目９０が厚紙と布地の双方にかしめられていることから、袋状ファイル９の廃棄時において、不燃物と可燃物とを分別するに際して、不燃物である金属製鳩目９０と可燃物である厚紙及び布地とを分離することは、非常に労力を要するものであった。
【０００７】
更に、上記構成においては、厚紙のカット、布地のカット、厚紙に対する布地の取付け、及び金属製の鳩目９０の取付けという非常に多くの工程を経なければならないことから、製造時における作業コストが高くつくものであった。
【０００８】
本発明は以上の事情に鑑みてなされたものであり、鳩目外周縁部分と当接する当該厚紙及び生地に皺が生じて傷むことを防止するとともに、廃棄時の分別を容易とし、製造時における作業コストを低減することができ、製品の種類に応じて綴じ込み用穴の大きさを変更することも可能とした袋状ファイル及び縁部材を提供することを、発明が解決しようとする課題とするものである。
【０００９】
【課題を解決するための手段】
合成樹脂製の縁部材であって、幅方向中央において長手方向に延設した綴じ込み用穴を形成した中央薄板部と、該中央薄板部を挟んで左右対称として長手方向に延設した増厚部と、増厚部の一方の外側に、長手方向へ増厚部よりも薄い薄板縁部を延設した縁部材を基本とし、当該縁部材に加えて、二枚の対向する側板相互の両端部及び底部間に襠部を取付けるとともに、上部には開口部を形成し、前記側板における一方の対向する側端部に沿って、綴じ込み用穴を長手方向に列設した縁部材を取付けた袋状ファイルにおいて、前記縁部材を備えた袋状ファイル等を提供することを、課題を解決するための手段とするものである。
【００１０】
【発明の効果】
合成樹脂製の縁部材であって、幅方向中央において長手方向に延設した綴じ込み用穴を形成した中央薄板部と、該中央薄板部を挟んで左右対称として長手方向に延設した増厚部と、該増厚部の一方の外側として長手方向へ延設した、増厚部よりも薄い薄板縁部とからなる構成としたことにより、合成樹脂製の縁部材は、押出し成形した後、綴じ込み用穴を穿設するのみで容易に製造することが可能となり、従来のような、厚紙のカット、布地のカット、厚紙に対する布地の取付け、及び鳩目の取付けという非常に多くの工程を経る必要がなく、製造時における作業コストを大幅に削減することができるとともに、合成樹脂材料のみから製造することで、廃棄時のリサイクル回収を容易とすることができる。
【００１１】
また、綴じ込み用穴を形成して長手方向に延設される中央薄板部を基準として左右対称に増厚部を延設した構成としたことにより、綴じ込み用穴の周縁を補強することができ、綴じ込み用穴に挿入されたファイルフォルダの綴じ込み用金属桿や、綴じ込み用紐等によって、綴じ込み用穴の縁部近傍に過負荷をが生じた場合に、増厚部で綴じ込み用穴の縁部近傍が破損することを防止することができる。当該効果は、特に、綴じ込み用穴（１４）の直径が、左右対称となる増厚部間の距離と等しくすることによって、更に高めることができる。
【００１２】
更に、中央薄板部を基準として左右対称に、複数の増厚部を形成するとともに、隣設する増厚部間に、間隙薄板部を形成した場合には、予め複数の増厚部間を夫々異なる既定サイズとなる綴じ込み用穴の外径寸法とすることで、必要な生産量に応じて、特定の外径寸法の綴じ込み用穴を備えた縁部材を生産することができ、綴じ込み用穴の縁部近傍の破損を防止できる優れた縁部材を、効率よく提供する事ができる。
【００１３】
また、合成樹脂製の縁部材であって、幅方向中央において長手方向に延設した綴じ込み用穴を形成した中央薄板部を基準として左右対称に増厚部を延設し、更に増厚部の外側には、前記中央薄板部を基準として左右対称に、前記増厚部よりも薄い薄板縁部を延設した構成した場合には、当該縁部材の左右を考慮することなく、袋状ファイル等に縫着することができ、作業効率を向上させることができる。また、縁部材の表裏を対称形とした場合には、当該縁部材の表裏を考慮することなく、袋状ファイル等に縫着することができ、縁部材を左右、表裏とも対称とすることによっては、左右表裏いずれの方向を袋状ファイル等に取付けてもよく、極めて作業性を良好とすることができる。
【００１４】
また、薄板縁部の先端を、幅方向断面視二又状とした場合には、袋状ファイルにおける側板の側縁部等に対して縁部材を挟着することができることから、側板に対する縁部材の取付けを確実とするとともに、耐久性に優れたものとすることができる。
【００１５】
更に、薄板縁部の材質を軟質材料とした場合には、綴じ込み用穴近傍の強度を落とすことなく、縁部材自体が柔軟性を具備することにより、袋状ファイルを束ねた状態から開く際に、円滑に袋状ファイルを捲ることができることとなる。
【００１６】
【発明の実施の形態及び実施例】
図１は本発明の実施例１に係る袋状ファイルの斜視図、図２は同実施例１における袋状ファイルの縁部材の平面図、図３は図２のＡ−Ａ拡大断面における袋状ファイルとの取付状態を示す一部省略した説明拡大断面図、図４は図２におけるＢ−Ｂ拡大断面図、図５は同実施例１に係る袋状ファイルの縁部材における直径６ｍｍの綴じ込み用穴を形成した部分の拡大断面図、図６は本発明の実施例２に係る袋状ファイルにおける縁部材の拡大断面図、図７は本発明の実施例３に係る袋状ファイルにおける縁部材の拡大断面図、図８は本発明の実施例４に係る袋状ファイルにおける縁部材の拡大断面図、図９は管状の綴り手段ｂ１を備えたファイルフォルダｂと袋状ファイルａとの関係を示す説明斜視図、図１０は綴じ紐ｃと袋状ファイルａとの関係を示す説明斜視図、図１１は従来の袋状ファイルを示す斜視図である。
【００１７】
本発明の実施例１に係る袋状ファイルａは、図１に示すように、長さ３００ｍｍ、幅１９０ｍｍ程度の厚紙の外面側を布地で被覆してなる側板２０を二枚対向させて、該側板２０、２０相互の対向する両側端部２３、２３及び底端部２５、２５を布地からなる襠部２１を介して縫合して、上端に開口部２４を形成して袋状とした袋状ファイル本体２とし、該袋状ファイル本体２における一方の対向する側端部２３、２３には、夫々他の袋状ファイルａと束ねるための手段となる複数の綴じ込み用穴１４を備えた縁部材１、１を、取付生地３を介して、縫着したものである。
【００１８】
尚、前記袋状ファイル本体２における一方の側板２０の上端にフラップ２２を設けるとともに、該フラップ２２に設けた面ファスナーと他方の側板２０の外面上部に設けた面ファスナーとによって、上端の開口部２４を開閉することができるものとしている。
【００１９】
そして縁部材１は、図２乃至図４に示すように、側板のサイズに対応した長さ２９０ｍｍ程度、幅２５ｍｍ程度の硬質のポリプロピレン製の縁部材であって、幅方向中央において幅４ｍｍ、厚さ１．２ｍｍで、側板の長さである２９０ｍｍで長手方向に延設され且つ直径４ｍｍの綴じ込み用穴１４を長手方向へ二箇所穿設した中央薄板部１０と、該中央薄板部１０を挟んで左右対称に延設した幅０．８ｍｍ、厚さ３ｍｍとして表裏面に突出した形状の第一増厚部１１ａ、１１ａと、該第一増厚部１１ａ、１１ａの外側に、厚さ１．２ｍｍの間隙薄板部を介して延設される幅０．８ｍｍ、厚さ３ｍｍの第二増厚部１１ｂ、１１ｂと、更に、該第二増厚部１１ｂ、１１ｂの外側に、前記中央薄板部１０を基準として左右対称に延設した厚さ１．２ｍｍ程度の薄板縁部１３、１３とを設けた構成であり、全体として表裏対称として形成されている。ここで、前記第二増厚部間１１ｂ、１１ｂ間の距離は、６ｍｍに設定されている。
【００２０】
また、取付生地３は、縁部材と略同程度の長さを有し、中央長手を谷折線として二つ折り状としたものであり、二つ折りされた両端部で前記縁部材１の一方の薄板縁部１３を挟み込んで縫着するものであり、二つ折り状態における曲折側端部は、図３に示すように、側板２０と襠部２１の間に当該取付生地３を挟み込んで縫着される。
【００２１】
以上の構成により、本実施例１に係る袋状ファイルａの縁部材１は、押出し成形後、一般的によく使用される直径４ｍｍの綴じ込み用穴を形成しても、図５に示すように、前記直径４ｍｍの綴じ込み用穴に代えて、直径６ｍｍの綴じ込み穴を形成しても、隣接して補強する増厚部が形成されていることとなるので、十分な強度及び耐久性を得ることができる。
【００２２】
尚、取付生地３は、上記実施例１に開示した二つ折り状となるもののみならず、当該取付生地３を曲折せずに、合成樹脂製の縁部材１に重ね合わせて縫着するもの等とすることもできる。
【００２３】
次に、本発明の実施例２に係る袋状ファイルａは、上記実施例１における縁部材とその取付手段について異なるものである。図６に当該縁部材の断面図を示すように、本実施例２に係る縁部材は、中央薄厚部１０、増厚部１１、間隙薄板部１２に関しては実施例１と同形状であり、一方の薄板縁部１３は、幅方向断面視において薄板基部１３ａの先端に二又状となる二又部１３ｂを形成した構成である。
【００２４】
ここで、取付生地３は、実施例１の如く曲折状態とせずに、前記薄板縁部１３の二又部１３ｂで当該取付生地３の一端を挟み込み、当該二又部１３ｂとともに縫合し、該取付生地３の他端を側板２０及び襠部２１で挟持して縫着する。
【００２５】
本発明の実施例３に係る縁部材１は、基本的に硬質のポリプロピレンで形成されるもので、実施例２に係る縁部材２と略同形状を有する。当該実施例３に係る袋状ファイルの縁部材１の断面図を図７に示すように、実施例２と同様の二又部１３ｂを有するが、薄板縁部１３のうち、当該二又部１３ｂと第二増厚部１１ｂとの間に位置する薄板基部１３ａの材質のみを、前記硬質のポリプロピレンとは異材質となる軟質材料であるポリウレタンで一体成形している点において相違する。
【００２６】
当該軟質材料を薄板基部１３ａに用いることによって、縁部材１自体が柔軟性を発揮することで、図９に示す管状の綴り手段ｂ１を備えた表紙状のファイルフォルダｂや、或いは図１０に示す綴り紐ｃ等を、縁部材１の綴り込み用穴１４に用いることによって、複数の袋状ファイルａを綴り束ねた状態から、一枚の袋状ファイルａを捲り開く際に、当該一枚の袋状ファイルａの背の部分が、隣り合う他の袋状ファイルａに干渉して開き難くなることを緩和し、円滑に当該綴じ込まれた状態の袋状ファイルａを捲ることができることとなる。
【００２７】
尚、軟質材料を使用するのは、本実施例３のように二又部１３ｂを有するものに限らず、例えば、実施例４として図８に示すように、二又部１３ｂを形成しない縁部材１における薄板基部１３ａに用いることもできるし、左右対称、及び表裏対称として用いることもできる。
【００２８】
本発明において、上記実施例１乃至実施例４に係る縁部材１は、いずれも増厚部１１を夫々対となる第一増厚部１１ａ、１１ａ、及び第二増厚部１１ｂ、１１ｂとしたが、本発明はこれに限るものではなく、第三、第四等の増厚部を設けることができる。各増厚部１１、１１間の距離は、既定の綴じ込み用穴１４の外径と一致させることで、更に、当該綴じ込み用穴１４の縁部における補強効果を顕著なものとすることができる。
【００２９】
また、上記実施例１乃至実施例４においては、いずれも綴じ込み用穴１４は長手方向に合計二個のみ形成したものであるが、本発明においては当該実施例１乃至４に限るものではなく、三個以上設けることができる。
【００３０】
尚、本発明における縁部材１を形成する合成樹脂材料としては、硬質のポリプロピレンや再生ポリエチレンテレフタレート等が好適であり、実施例３及び実施例４に示すように、部分的に用いることができる軟質材料としては、一般的なエラストマーを使用することができるが、具体的には、例えば、縁部材１に好適な前記ポリプロピレンやポリエチレンテレフタレートと親和性の高い材質であるポリウレタンや、低コストであるスチロール系エラストマー等が好適である。
【００３１】
また、本発明においては、実施例１乃至実施例４に開示した間隙薄厚部１２を設けてもよいが、間隙薄厚部１２を設けた場合には、綴じ込み用穴の縁部近傍に負荷がかかった場合に、前記間隙薄厚部１２よりも内側の増厚部１１全体が当該間隙薄厚部１２から撓むことにより、前記負荷に対する緩衝効果を得ることができ、より綴じ込み用穴の縁部近傍の破損を防止することができる。
【００３２】
更に、実施例１乃至実施例４における袋状ファイル本体２の側板は、いずれも厚紙を使用しているが、当該厚紙に代えて合成樹脂製板材を使用することもできる。
【図面の簡単な説明】
【図１】本発明の実施例１に係る袋状ファイルの斜視図である。
【図２】本発明の実施例１の袋状ファイルにおける縁部材の平面図である。
【図３】本発明の実施例１の袋状ファイルにおける縁部材のＡ−Ａ拡大断面における袋状ファイルとの取付状態を示す説明拡大断面図である。
【図４】本発明の実施例１の袋状ファイルにおける縁部材のＢ−Ｂ拡大断面図である。
【図５】本発明の実施例１に係る袋状ファイルにおける縁部材に、直径６ｍｍの綴じ込み用穴を形成した部分の拡大断面図である。
【図６】本発明の実施例２に係る袋状ファイルにおける縁部材の拡大断面図である。
【図７】本発明の実施例３に係る袋状ファイルにおける縁部材の拡大断面図である。
【図８】本発明の実施例４に係る袋状ファイルにおける縁部材の拡大断面図である。
【図９】管状の綴り手段を備えたファイルフォルダと本発明に係る袋状ファイルとの関係を示す説明斜視図である。
【図１０】綴じ紐と本発明に係る袋状ファイルとの関係を示す説明斜視図である。
【図１１】従来の袋状ファイルにを示す斜視図である。
【符号の説明】
１          縁部材
１０        中央薄板部
１１        増厚部
１１ａ      第一増厚部
１１ｂ      第二増厚部
１２        間隙薄厚部
１３        薄板縁部
１３ａ      薄板基部
１３ｂ      二又部
１４        綴じ込み用穴
２          袋状ファイル本体
２０        側板
２１        襠部
２２        フラップ
２３        側端部
２４        開口部
２５        底端部
２６ａ      面ファスナー
２６ｂ      面ファスナー
３          取付生地
ａ          袋状ファイル
ｂ          ファイルフォルダ
ｂ１        綴り手段
ｃ          綴じ紐
９          袋状ファイル（先行技術１）
９０        金属鳩目
９１        縁部材
９２        側板
９３        襠部
９４        開口部
９５        フラップ
【図１】
2004306288.tif 000003
【図２】
2004306288.tif 000004
【図３】
2004306288.tif 000005
【図４】
2004306288.tif 000006
【図５】
2004306288.tif 000007
【図６】
2004306288.tif 000008
【図７】
2004306288.tif 000009
【図８】
2004306288.tif 000010
【図９】
2004306288.tif 000011
【図１０】
2004306288.tif 000012
【図１１】
2004306288.tif 000013